(57)【要約】      （修正有）【課題】応用性、安定性、便利性を強化する電子機器の挟持装置を提供する。【解決手段】電子機器の挟持装置は、下外殻２の中央に周囲縁の一部が外側に露出し突出する歯車盤３を軸着し、歯車盤側にはレバー２２を設け、固定部材２３を押圧して歯に深く噛合させ、歯車盤上には複数個の枢着孔を設け、それぞれに連接部２５と、両側及び下方のスロット中に配置した挟持部４とを連結し、挟持部はレール溝を上外殻１のレールにスライド可能状態で嵌設する。下外殻上方のスロットには、上端をバネで枢着した回転可能な弾性クリップを設け、両側に単一方向直線型歯止めを備え弾性嵌入鈎体を嵌合する手動挟持部を設置する。初めて使用する時は、歯車盤を回転させて連接部によって牽引される挟持部を上外殻のレールに沿って伸縮させ、上外殻上に配置した電子機器を挟持部で挟み込む。並びに、レバーを動かして歯車盤を固定し、更に、手動挟持部を押圧して内側に収縮させることで、電子機器は挟持される。【選択図】図３
0003173277.tif 000002
【実用新案登録請求の範囲】
【請求項１】
上外殻と、下外殻と、歯車盤と、挟持部と、手動挟持部とにより構成される電子機器の挟持装置において、
その内、下外殻には、上下左右にそれぞれスロットを設置し、底部に設けた固着体の窪み形状には外殻体を収め、その中央には周囲縁の一部が下外殻のカット部から外側に露出し突出する歯車盤を軸着し、歯車盤側にはレバーを設け、固定部材を押圧して歯に噛合させ、歯車盤上には複数個の枢着孔を設け、それぞれに連接部と、下外殻の両側及び下方のスロット中に配置した挟持部とを連結し、挟持部はレール溝を上外殻のレールにスライド可能状態で嵌設し、下外殻上方のスロットには、上端をバネで枢着した回転可能な弾性クリップを設け、両側に単一方向直線型歯止めを備え弾性嵌入鈎体を嵌入して固定の調整を行う手動挟持部を嵌設し、上外殻と下外殻の二つを蓋となるよう重ね合わせて結合することを特徴とする電子機器の挟持装置。
【請求項２】
請求項１記載の電子機器の挟持装置において、前記挟持部と手動挟持部の爪となって挟み込む内側縁には内傾斜弧形縁を形成することを特徴とする電子機器の挟持装置。
【請求項３】
請求項１記載の電子機器の挟持装置において、前記手動挟持部は多段式とし、複数個の弾性嵌入鈎体を側辺縁の単一方向直線型歯止めに嵌合固定させる伸縮調整構造であることを特徴とする電子機器の挟持装置。
【考案の詳細な説明】
【技術分野】
【０００１】
本考案は、サイズ、厚みが異なる電子機器を挟み込む時の応用性、安定性、便利性の好ましくない公知の挟持器具の設計に対して、改善を加えた電子機器の挟持装置を提供する。
本考案の電子機器の挟持装置は、下外殻の中央に周囲縁の一部が外側に露出し突出する歯車盤を軸着し、歯車盤側にはレバーを設け、固定部材を押圧して歯に深く噛合させ、歯車盤上には複数個の枢着孔を設け、それぞれに連接部と、両側及び下方のスロット中に配置した挟持部とを連結し、挟持部はレール溝を上外殻のレールにスライド可能状態で嵌設し、下外殻上方のスロットには上端をバネで枢着した回転可能な弾性クリップを設け、両側に単一方向直線型歯止めを備え弾性嵌入鈎体を嵌合する手動挟持部を設置する。
初めて使用する時は、歯車盤を回転させて連接部によって牽引される挟持部を上外殻のレールに沿って伸縮させ、上外殻上に配置した電子機器を挟持部で挟み込む。並びに、レバーを動かして歯車盤を固定し、更に、手動挟持部を押圧して内側に収縮させることで、電子機器は挟持される。また、電子機器を取り外す時は、上向きに弾性クリップを動かし、上方から電子機器を取り出す。電子機器は弾性クリップを動かすだけで迅速キャッチ可能である。よって、挟持の応用性、安定性、便利性を強化する電子機器の挟持装置である。
【背景技術】
【０００２】
一般に使用されている電子機器（例えばアイパッド、アイフォン、電子書籍、タブレットパソコン等）を車上で使用する時、閲覧、操作、受信、充電を便利にし揺れを防ぎ手を使わないで使用できるように、電子機器を挟持装置に挟み込んで固定する人も多い。しかし、各電子機器のサイズ、厚みが異なり、挟持装置で挟み込む際の応用性、安定性、便利性が良好ではなく、異なる電子機器及び絶え間なく新発売される電子機器に対応するために、無数の異なるサイズの挟持装置を準備、製作しなければならない。これは、生産者にとり、甚大な経済的負担と在庫のプレッシャーがあり、販売者にとり、極めて大きな在庫空間の要求と販売上の欠点があり、使用者にとっては浪費が生まれるため、依然として改善の必要性が存在する。
【考案の概要】
【考案が解決しようとする課題】
【０００３】
本考案の主な目的は、下外殻の中央に周囲縁の一部が外側に露出し突出する歯車盤を軸着し、歯車盤側にはレバーを設け、固定部材を押圧して歯に深く噛合させ、歯車盤上には複数個の枢着孔を設け、それぞれに連接部と、両側及び下方のスロット中に配置した挟持部とを連結し、挟持部はレール溝を上外殻のレールにスライド可能状態で嵌設し、下外殻上方のスロットには、上端をバネで枢着した回転可能な弾性クリップを設け、両側に単一方向直線型歯止めを備え弾性嵌入鈎体を嵌合する手動挟持部を設置する。初めて使用する時は、歯車盤を回転させて連接部によって牽引される挟持部を上外殻のレールに沿って伸縮させ、上外殻上に配置した電子機器を挟持部で挟み込む。並びに、レバーを動かして歯車盤を固定し、更に、手動挟持部を押圧して内側に収縮させることで、電子機器は挟持される。また、電子機器を取り外す時は、上向きに弾性クリップを動かし、上方から電子機器を取り出す。電子機器は弾性クリップを動かすだけで迅速キャッチ可能である。よって、挟持の応用性、安定性、便利性を強化する電子機器の挟持装置である。
【０００４】
本考案の次の目的は、挟持部と手動挟持部の爪となって挟み込む箇所に内傾斜弧形縁を形成し、異なる厚みを持つ電子機器を挟持する時に、上向きの押圧作用と制止作用を生じさせるため、揺れや振動による脱落を防ぎ、安定効果を増進する電子機器の挟持装置である。
【０００５】
本考案のもう一つの目的は、手動挟持部の側面縁に単一方向直線型歯止めを設計し、弾性嵌入鈎体を嵌合する多段式伸縮調整構造であり、長さ調整度を増やし収納体積を削減する電子機器の挟持装置である。
【課題を解決するための手段】
【０００６】
請求項１の考案は、上外殻と、下外殻と、歯車盤と、挟持部と、手動挟持部とにより構成される電子機器の挟持装置において、
その内、下外殻には、上下左右にそれぞれスロットを設置し、底部に設けた固着体の窪み形状には外殻体を収め、その中央には周囲縁の一部が下外殻のカット部から外側に露出し突出する歯車盤を軸着し、歯車盤側にはレバーを設け、固定部材を押圧して歯に噛合させ、歯車盤上には複数個の枢着孔を設け、それぞれに連接部と、下外殻の両側及び下方のスロット中に配置した挟持部とを連結し、挟持部はレール溝を上外殻のレールにスライド可能状態で嵌設し、下外殻上方のスロットには、上端をバネで枢着した回転可能な弾性クリップを設け、両側に単一方向直線型歯止めを備え弾性嵌入鈎体を嵌入して固定の調整を行う手動挟持部を嵌設し、上外殻と下外殻の二つを蓋となるよう重ね合わせて結合することを特徴とする電子機器の挟持装置としている。
請求項２の考案は、請求項１記載の電子機器の挟持装置において、前記挟持部と手動挟持部の爪となって挟み込む内側縁には内傾斜弧形縁を形成することを特徴とする電子機器の挟持装置としている。
請求項３の考案は、請求項１記載の電子機器の挟持装置において、前記手動挟持部は多段式とし、複数個の弾性嵌入鈎体を側辺縁の単一方向直線型歯止めに嵌合固定させる伸縮調整構造であることを特徴とする電子機器の挟持装置としている。
【考案の効果】
【０００７】
本考案の電子機器の挟持装置は、揺れや振動による脱落を防ぎ、長さ調整度を増やし収納体積を削減する等、挟持の応用性、安定性、便利性を強化する効果を備える。
【図面の簡単な説明】
【０００８】
【図１】本考案実施例の立体図である。
【図２】本考案実施例の分解図である。
【図３】本考案実施例の上外殻を取り除いた状態の立体図である。
【図４】本考案実施例を別の角度から見た立体図である。
【図５】本考案実施例の一部分解図である。
【図６】本考案におけるもう一つの実施例の立体図である。
【図７】本考案におけるもう一つの実施例を別の角度から見た立体図である。
【考案を実施するための形態】
【０００９】
本考案の構造及びその効果を御理解いただくために、ここに図面を参照とした実施例を用いて次の如く詳細説明を行う。
【００１０】
図１乃至図６に示すとおり、本考案は、上外殻１、下外殻２、歯車盤３、挟持部４、及び手動挟持部５により構成される。その内、下外殻２には、上下左右にそれぞれスロット２０を設置し、底部に設けた固着体２６の窪み形状には外殻体を設置し、その中央には周囲縁の一部が下外殻２のカット部２１から外側に露出し突出する歯車盤３を軸着し、歯車盤３側にはレバー２２を設け、固定部材２３を押圧して歯に噛合させ、歯車盤３上には複数個の枢着孔２４を設け、それぞれに連接部２５と、下外殻２の両側及び下方のスロット２０中に配置した挟持部４とを連結し、尚且つ、挟持部４はレール溝４０を上外殻１のレール１０にスライド可能状態で嵌設し、下外殻２上方のスロット２０には、上端をバネ５０で枢着した回転可能な弾性クリップ５３を設け、両側に単一方向直線型歯止め５１を備え弾性嵌入鈎体５２を嵌入して固定の調整を行う手動挟持部５を嵌設し、上外殻１と下外殻２の二つを蓋となるよう重ね合わせて結合する。また、挟持部４と手動挟持部５の爪となって挟み込む内側縁には内傾斜弧形縁４４、内傾斜弧形縁５５を形成し、手動挟持部５の側面縁にも単一方向直線型歯止め５１を備えるよう設計し、複数個の弾性嵌入鈎体５２を嵌合する多段式伸縮調整構造とすることも可能である。
【００１１】
実際の使用において電子機器を初めて挟み込む時は、まず、弾性嵌入鈎体５２を押して手動挟持部５を外側方向に最長となるよう伸ばし、更に歯車盤３を回転させると連接部２５が従動され、それによって牽引される挟持部４を上外殻１のレール１０に沿って最も外側まで延伸させた後、電子機器を上外殻１上に配置する、その後、歯車盤３を逆方向に回転させて、左右の挟持部４が電子機器を緊密に挟み込むまで内側に収縮させる。また、レバー２２を押圧して固定部材２３を歯車盤３の対応位置の歯に深く入り込ませると、歯車盤３が固定される。最後に、再び弾性嵌入鈎体５２を押圧すると、単一方向直線型歯止め５１は弾性嵌入鈎体５２から離脱して単一方向の移動作用だけとなり、下方の挟持部４と共に電子機器の上下を緊密に挟み込む。よって、上外殻に配置した電子機器は安定状態で挟み込まれて固定する。それと同時に、挟持部４と手動挟持部５の爪となる内側縁の内傾斜弧形縁４４、内傾斜弧形縁５５が電子機器を圧した状態で挟み込むため、上向きに押す力が生じ、尚且つ上部縁が制止を加えて、弾力的に上向きに押して挟み込む働きが生まれ、これにより、揺れや振動による脱落を防ぎ、安定固定効果を増進させる。
【００１２】
電子機器を取り外す時は、上向きに弾性クリップ５３を動かし、上方の開いた箇所から電子機器を取り出す。電子機器を元に戻したい時は、同様に、弾性クリップ５３を動かすと、上方の開いた箇所から入れることができ、これにより、電子機器を挟持する応用性、安定性、便利性が増進される。また、手動挟持部５を多段式とする場合は、複数個の弾性嵌入鈎体５２を側面縁の単一方向直線型歯止め５１に嵌合させる伸縮調整構造において、更に長さ調整度を増やし収納体積を削減することが可能となる。
【００１３】
本考案の構造と装置は、市場及び刊行物にはかつて見られず、挟持の応用性を拡大するとともに安定効果を強化するもので、効果の向上が顕著にみられ、実用新案の出願要件に十分符合する。
【００１４】
前述した通り、前述したものは本考案の一部実施例であるのみで、本考案を制限するものではなく、本考案の創意精神及び特徴に基づき若干の変化修飾を加えて作り上げたものは何れも本特許の請求範囲内に含まれるものとする。
【符号の説明】
【００１５】
１          上外殻
２          下外殻
３          歯車盤
４          挟持部
５          手動挟持部
１０        レール
２０        スロット
２１        カット部
２２        レバー
２３        固定部材
２４        枢着孔
２５        連接部
２６        固着体
４０        レール溝
４４        内傾斜弧形縁
５０        バネ
５１        単一方向直線型歯止め
５２        弾性嵌入鈎体
５３        弾性クリップ
５５        内傾斜弧形縁
【図１】
0003173277.tif 000003
【図２】
0003173277.tif 000004
【図３】
0003173277.tif 000005
【図４】
0003173277.tif 000006
【図５】
0003173277.tif 000007
【図６】
0003173277.tif 000008
【図７】
0003173277.tif 000009